(57)【要約】【課題】  出力拠点で発注ユーザが印刷注文を行う際に、出力拠点において原稿ファイルを正常にオープン／印刷できないという問題を回避する。【解決手段】  サポートされるファイル形式及びアプリケーションとそのバージョンを電子入稿システムに登録する。そして、発注ユーザが印刷注文を行う際に、指定された原稿ファイルのファイル形式、及びアプリケーションとそのバージョンを比較し、サポートされない原稿ファイルが指定されている場合には、その原稿ファイルを発注クライアント上の発注アプリケーションによって中間ファイル（ＰＤＦ、ＳＶＧ、ＥＭＦなど）に変換し、電子入稿システムへアップロードする。【選択図】  図１
2006244034.tif 000002
【特許請求の範囲】
【請求項１】
印刷物の発注、受注を管理する電子入稿システムにおいて、入稿する原稿ファイルを指定させる原稿ファイル指定手段と、受注可能な原稿ファイルのファイル形式及びアプリケーション、とそのバージョンを登録するサポートファイル情報登録手段と、原稿ファイルのファイル形式及びアプリケーション、とそのバージョンを検出するファイル形式検出手段と、原稿ファイルを中間ファイルに変換する中間ファイル変換手段とを有し、該原稿ファイル指定手段により指定された原稿ファイルについて、該ファイル形式検出手段によりファイル形式、アプリケーションとそれらのバージョンを検出し、原稿ファイルが受注可能な形式でない場合に、該中間ファイル変換手段により、原稿ファイルを中間ファイルに変換することを特徴とする電子入稿システム。
【請求項２】
請求項１記載の電子入稿システムにおいて、さらに、原稿ファイルと変換後の中間ファイルを組にして電子入稿システムに登録することを特徴とする電子入稿システム。
【請求項３】
請求項１記載の電子入稿システムのサポートファイル情報登録手段において、出力拠点毎に割り当てられた出力拠点ＩＤを同時に指定可能とし、さらに、発注する出力拠点を選択する出力拠点選択手段を有し、出力拠点選択手段により選択された出力拠点で原稿ファイルが受注可能な形式でない場合に、該中間ファイル変換手段により、原稿ファイルを中間ファイルに変換することを特徴とする電子入稿システム。
【発明の詳細な説明】
【技術分野】
【０００１】
本特許は、印刷注文を行う電子入稿システムに関するものである。
【背景技術】
【０００２】
電子入稿システムにおいて、印刷注文を行う際、各種印刷設定を行うとともに、原稿ファイルを指定し、アップロードを行う。
【特許文献１】特開２０００−１５５６６６号公報
【発明の開示】
【発明が解決しようとする課題】
【０００３】
従来の電子入稿システムにおいては、印刷注文を行う際に、原稿ファイルを指定し、アップロードを行うが、集中印刷室（ＣＲＤ）やＰＯＤセンター、プリントショップなどと呼ばれる、出力拠点においてサポートしているファイル形式またはアプリケーション（バージョンも含む）に合致した原稿ファイルであるかを判定しておらず、原稿ファイルが出力拠点において正常にオープン／印刷できない場合があった。
【課題を解決するための手段】
【０００４】
本システムにおいては、上記課題を解決するため、まず、出力拠点でサポートされるファイル形式及びアプリケーションとそのバージョンを電子入稿システムに登録する。そして、発注ユーザが印刷注文を行う際に、指定された原稿ファイルのファイル形式、及びアプリケーションとそのバージョンを取得し、出力拠点でサポートされるファイル形式及びアプリケーションとそのバージョンと合致するかを、判定する。もし、合致しない原稿ファイルが指定された場合には、その原稿ファイルを発注クライアント上の発注アプリケーションによって中間ファイル（ＰＤＦ、ＳＶＧ、ＥＭＦなど）に変換し、電子入稿システムへアップロードする。
【発明の効果】
【０００５】
以上説明したように、本システムにおいては、まず、出力拠点でサポートされるファイル形式及びアプリケーションとそのバージョンと、発注ユーザが印刷注文を行う際に、指定された原稿ファイルのファイル形式、及びアプリケーションとそのバージョンを比較し、サポートされない原稿ファイルが指定されている場合には、その原稿ファイルを発注クライアント上の発注アプリケーションによって中間ファイル（ＰＤＦ、ＳＶＧ、ＥＭＦなど）に変換し、電子入稿システムへアップロードすることにより、出力拠点において原稿ファイルを正常にオープン／印刷できないという問題を回避することができる。
【発明を実施するための最良の形態】
【０００６】
以下、本発明に関し詳細に説明する。
【実施例１】
【０００７】
図１は、本発明を適用可能な情報処理システムの構成を説明するブロック図である。なお、本システムにおけるクライアントコンピュータは、１台、または複数台接続されていることを仮定している。
【０００８】
図１において、印刷注文クライアントコンピュータ１０２、電子入稿システムサーバ１０３、オペレータ用クライアント１０５は情報処理装置であり、アプリケーションプログラム等の各種のプログラムを実行可能である。また、ＬＡＮ、ＷＡＮ、インターネット１０１にネットワークケーブルを介して接続され、相互に通信可能である。
【０００９】
１０６は印刷制御装置であるプリンタであり、図示省略したパラレルケーブル又はネットワークインタフェースを介してネットワークと接続されており、コンピュータから送信される印字データを含む印刷ジョブを解析して１ページずつドットイメージに変換して、１ページ毎に印刷する。また、プリンタ１０６としては印刷装置であるところの、電子写真方式を採用したレーザービームプリンタやインクジェット方式を採用したインクジェットプリンタや熱転写方式を利用したプリンタ等様々な方式のものに適応できることも無論想定される。
【００１０】
電子入稿システムサーバ１０３は、印刷注文の受発注を管理するアプリケーションサーバであり、注文に関する情報、例えば、印刷体裁、製本設定、原稿ファイル、納品先情報、部数などを保管し、参照可能とする。電子入稿システムサーバ１０３には、Ｗｅｂサーバ機能を持たせることにより、印刷注文クライアントコンピュータ１０２、オペレータ用クライアント１０５より、Ｗｅｂブラウザを使用してアクセスを可能としてもよい。もしくは、印刷注文クライアントコンピュータ１０２、オペレータ用クライアント１０５上で動作する専用アプリケーション（Ｗｅｂブラウザとは限らない）から、ＴＣＰ／ＩＰやＨＴＴＰなどの通信プロトコルを使用して、電子入稿システムサーバ１０３へ接続する構成としても構わない（通信プロトコルは限定しない）。
【００１１】
印刷注文を発注するユーザは、印刷注文クライアント１０２より、Ｗｅｂブラウザまたは発注アプリケーションを経由して、印刷体裁、製本設定、原稿ファイル、納品先情報、部数などを指定して、電子入稿システムサーバ１０３に発注操作を行う。
【００１２】
受注処理、編集、印刷、配送処理などを行うオペレータは、オペレータ用クライアント１０５より、Ｗｅｂブラウザ／アプリケーションを経由して、電子入稿システムサーバ１０３及び商品データ保存サーバコンピュータから、注文情報や原稿ファイルを参照及びダウンロードし、印刷などの作業を行う。
【００１３】
図２は、本発明におけるシステムのモジュール構成を説明する図である。
【００１４】
まず、主な構成モジュールについて説明する。
【００１５】
Ｗｅｂブラウザ１０２−１は、注文クライアント１０２内で動作するＷｅｂブラウザである。
【００１６】
発注アプリケーション１０２−２は、注文クライアント１０２内で動作するプログラムであり、ユーザは発注アプリケーション１０２−２のＵＩ上で、原稿ファイル、印刷体裁設定、配送設定などの全てもしくは一部を指定し、原稿ファイルや各設定情報を、電子入稿システムサーバ１０３へ発注側Ｉ／Ｆ部１０３−１を経由してアップロードすることが可能である。
【００１７】
オフィスアプリケーション１０２−３は、原稿ファイルを作成、表示、印刷するための一般的なアプリケーションであり、これらのアプリケーションはＯＬＥなどを使用して、外部アプリケーションから印刷処理を制御可能であるものが存在する。また、ＯＬＥなどをサポートしないアプリケーションでもシェルスクリプトを使用することにより、原稿ファイルを印刷可能な場合が多い。
【００１８】
中間ファイル作成ドライバ１０２−４は、プリンタドライバ形式のプログラムであり、一般的なオフィスアプリケーション１０２−３からの印刷指示及び描画命令を受け付け、ページ単位の原稿を詳細な書式をもって表現するＥＭＦ（中間ファイル形式データ）、ＰＤＦ等の画像データとＤＥＶＭＯＤＥ、ＪＤＦ等の印刷属性データを含む中間コードに変換し、その中間コードを保存した中間ファイルを作成することができる。また、印刷指示とは別に、中間ファイルの作成完了イベントを指定されたプログラムに通知することが可能である。
【００１９】
発注側Ｉ／Ｆ部１０３−１は、電子入稿システムサーバ１０３の印刷発注クライアント向けのインタフェース部であり、原稿ファイル、印刷体裁設定、配送設定などを指定し注文を発行可能なインタフェースを持つ。また、Ｗｅｂサーバの機能を持ちＨＴＴＰ、ＨＴＴＰＳなどによる要求を受付可能である。
【００２０】
注文情報管理部１０３−２は、注文情報と入稿された原稿ファイルを組にして保存、管理する。また、発注ユーザや、オペレータのユーザを管理し、注文のステータスや課金情報なども管理する。
【００２１】
受注側Ｉ／Ｆ部１０３−３は、集中印刷室（ＣＲＤ）やＰＯＤセンター、プリントショップなどと呼ばれる、印刷注文を受注する側のコンピュータへのインタフェース部であり、注文ＩＤを指定し、原稿ファイル、印刷体裁設定、配送設定、ステータスなど取得可能なインタフェースを持つ。また、発注側Ｉ／Ｆ部１０３−１と同様に、Ｗｅｂサーバの機能を持ちＨＴＴＰ、ＨＴＴＰＳなどによる要求を受付可能である。
【００２２】
サポートアプリケーション情報管理部１０３−４は、出力拠点において、原稿ファイルとしてサポートされる、ファイル形式及びアプリケーションとそのバージョンについての情報を保管する。出力拠点のオペレータは、注文管理アプリケーション１０５−２またはＷｅｂブラウザ１０５−１より受注側Ｉ／Ｆ部１０３−３を経由してサポート情報を入力すると、受注側Ｉ／Ｆ部１０３−３はサポート情報をサポートアプリケーション情報管理部１０３−４へ保存する。また、発注アプリケーション１０２−２より、発注側Ｉ／Ｆ部１０３−１へサポート情報の取得要求があると、発注側Ｉ／Ｆ部１０３−１は、サポートアプリケーション情報管理部１０３−４よりサポート情報を取得して、発注アプリケーション１０２−２へ返す。
【００２３】
注文管理アプリケーション１０５−２は、オペレータ用コンピュータ１０５上で動作するアプリケーションであり、電子入稿システムサーバ１０３より受け取った注文情報や原稿ファイルを表示する。
【００２４】
続いて、図２を元に、印刷発注から受注までの処理の流れを説明する。
【００２５】
まず、Ｗｅｂブラウザ１０２−１を使用した発注処理について説明する。印刷注文クライアント１０２内で動作するＷｅｂブラウザ１０２−１より、ネットワーク１０１を経由して、電子入稿システムサーバ１０３の発注側Ｉ／Ｆ（インタフェース）部１０３−１へアクセスすると、まず、注文メニュー選択フォームが返され、Ｗｅｂブラウザ１０２−１上に表示される。ユーザが「出力・製本印刷」メニュー（アップロードした原稿ファイルの印刷を依頼するメニュー）を選択すると、選択情報が注文メニュー選択フォームに設定され、発注側Ｉ／Ｆ部へ送信される。続いて、発注側Ｉ／Ｆ部は、印刷注文フォームを返し、Ｗｅｂブラウザ１０２−１上には、印刷注文フォームが表示される。Ｗｅｂブラウザに表示される印刷注文フォームのＵＩ画面例を図３に示す。発注を行うユーザが、この印刷注文フォームに、注文件名、印刷体裁、製本設定、納品先情報、部数などを入力、また、原稿ファイルのアップロード操作を行うことにより、発注側Ｉ／Ｆ部１０３−１へ印刷フォーム、原稿ファイルが送信され、印刷発注処理が実行される。
【００２６】
注文側Ｉ／Ｆ部１０３−１は、印刷注文クライアント１０２より送信された印刷注文フォームに入力された各設定値を解析、抽出し、注文情報を作成する。そして、アップロードされた原稿ファイルと共に、注文情報管理部１０３−２へ注文情報追加要求を出す。注文情報管理部１０３−２では、注文情報を追加し、原稿ファイルと共に保存、管理する。
【００２７】
新規に発注が起こると、注文情報管理部１０３−２は、受注側Ｉ／Ｆ部１０３−３を経由して、注文管理アプリケーション１０５−２へ通知を行う。この際、新規に発注された注文の注文ＩＤのリストを注文管理アプリケーション１０５−２へ送信する。もしくは、注文管理アプリケーション１０５−２側から、ＴＣＰ／ＩＰやＨＴＴＰ，ＨＴＴＰＳなどの通信プロトコルを使用し、定期的に、受注側Ｉ／Ｆ部１０３−３に新規発注の有無を問合せる形態をとってもよい。または、新規発注があると、注文情報管理部１０３−２より、新規発注を通知するＥメールをオペレータ送信し、そのＥメールを受け取ったオペレータが、Ｗｅｂブラウザ１０５−１を起動し、受注側Ｉ／Ｆ部１０３−３にアクセスすることにより、注文情報の参照及び、原稿ファイルのダウンロードを可能とする構成であってもよい。
【００２８】
注文管理アプリケーション１０５−２は、新規発注を検知すると、受注側Ｉ／Ｆ部１０３−３にアクセスし、注文情報及び原稿ファイルをダウンロードし、注文データ保存部１０５−３へ保存する。注文データ保存部１０５−３は、オペレータ用コンピュータ１０５上のローカルハードディスクもしくは、ファイルサーバ上の共有ディレクトリ／フォルダ、文書管理システムなどを使用できる。
【００２９】
注文管理アプリケーション１０５−２では、注文の一覧を表示し、一覧より各注文を選択することにより、選択された注文の詳細情報（印刷体裁、製本設定、原稿ファイル、納品先情報、部数など）を表示する。また、原稿ファイルをオープンすることができ、編集、印刷などの作業が可能である。図４に注文管理アプリケーションのＵＩ画面の例を示す。
【００３０】
本実施例の電子入稿システムでは、注文情報データのＸＭＬ形式で記述する。図７は、注文情報データのフォーマットを規定したＤＴＤを示す図である。注文情報データは、注文情報（Ｏｒｄｅｒ）、注文者情報（Ｏｒｄｅｒｅｒ）、課金情報（ＯｒｄｅｒＣｈａｒｇｅ）、配送先情報（Ｄｅｌｉｖｅｒｙ）などや、１つ以上のＳｕｂＯｒｄｅｒエレメントを持ち、このＳｕｂＯｒｄｅｒエレメント以下に、商品や、印刷物に関する詳細な情報が記載される。ＳｕｂＯｒｄｅｒエレメントには、原稿ファイル情報（ＰｒｉｎｔＤａｔａ）、料金（Ｃｈａｒｇｅ）、コスト（Ｃｏｓｔ）などに関する情報と、印刷体裁、製本設定などを記載するためのＰｒｏｄｕｃｔエレメントを持つ。Ｐｒｏｄｕｃｔエレメントは、さらに、本文（Ｂｏｄｙ）、表紙・裏表紙（Ｃｏｖｅｒ）、製本設定（ＰｏｓｔＰｒｉｎｔ）エレメントを持ち、それぞれに、どの原稿ファイルの何ページ目を使用するか、またそれらの印刷順序を示した印刷ファイル情報（ＲｅｌａｔｅｄＰｒｉｎｔＤａｔａ）や、印刷体裁情報（Ｃａｔｅｇｏｒｙ−Ｅｎｕｍ）を記載する。印刷体裁情報はＣａｔｅｇｏｒｙエレメントのｔｙｐｅ属性が印刷体裁・製本設定項目を表し、そのＣａｔｅｇｏｒｙエレメント下にあるＥｎｕｍエレメントのｔｙｐｅ属性が該当印刷体裁・製本設定項目の設定値を表す。印刷体裁、製本設定項目としては、仕上りサイズ、原稿の調整、出力用紙の向き、製本の種類、とじ方向、片面印刷／両面印刷、カラーモード、用紙タイプ、パンチ穴、折り、断裁などがある。表紙・裏表紙（Ｃｏｖｅｒ）における印刷体裁情報のＣａｔｅｇｏｒｙエレメントのｔｙｐｅ属性が“ｆｒｏｎｔＣｏｖｅｒＴｙｐｅ”であるものが表紙（表表紙）の印刷設定を示し、“ｂａｃｋＣｏｖｅｒＴｙｐｅ”であるものが裏表紙の印刷設定を示し、該当するＣａｔｅｇｏｒｙエレメント下のＥｎｕｍエレメントのｔｙｐｅ属性が“１ｓｉｄｅＰｒｉｎｔ”であれば「片面印刷」、“２ｓｉｄｅＰｒｉｎｔ”であれば「両面印刷」、“ｎｏｎＰｒｉｎｔ”であれば「印刷なし」を示す。該当するＣａｔｅｇｏｒｙエレメントが存在しない場合には、「表紙なし」や「裏表紙なし」を表す。
【００３１】
図８、図９、図１０は、「出力・製本印刷」メニューより注文を行った場合に、受注側Ｉ／Ｆ部１０３−３より、注文管理アプリケーション１０５−２へ送信される注文情報データの一部を示す図である。「出力・製本印刷」メニューより、注文を行う場合には、印刷体裁・製本設定を指定し、さらに原稿ファイルのアップロードを行って注文処理が行われ、これらの情報が図７のＤＴＤに従って、注文情報データに記載される。
【００３２】
次に、図５を用いて、発注アプリケーション１０２−２とＷｅｂブラウザ１０２−１を使用した発注処理について説明する。印刷注文クライアント１０２において、発注アプリケーション１０２−２を起動すると（Ｓ５０１）、ステップＳ５０２において、発注アプリケーション１０２−２は、発注側Ｉ／Ｆ部１０３−１へアクセスし、出力拠点におけるサポート情報を取得する。前述したように、サポート情報とは、原稿ファイルとしてサポートされる、ファイル形式及びアプリケーションとそのバージョンについての情報である。続いて、ユーザは、発注アプリケーション１０２−２のＵＩを使用し、１つ以上の原稿ファイルを指定する（Ｓ５０３）。ステップＳ５０４において、発注アプリケーション１０２−２は、指定された原稿ファイルをチェックし、ファイル形式及びアプリケーションと、それらのバージョンを取得する。ファイル形式及びアプリケーションと、それらのバージョンを取得する方法としては、原稿ファイルの拡張子が示すファイル形式を識別する方法や、ＯＳにおいて拡張子と関連付けられたアプリケーションより、原稿ファイルを操作可能なアプリケーションを取得する方法や、さらにＯＬＥなどを使用し、オフィスアプリケーションや原稿ファイルのバージョンを取得する方法や、原稿ファイルのデータを解析し、ファイル形式及びバージョンを取得する方法などがある。続いて、発注アプリケーション１０２−２は、原稿ファイルのファイル形式及びアプリケーションとそれらのバージョンと、出力拠点のサポート情報と比較し、全てのファイルが出力拠点でサポートされているかどうかを判定する（Ｓ５０５）。判定の結果、出力拠点でサポートされないアプリケーションが存在する場合、ステップＳ５０８に進み、中間ファイル作成ドライバ１０２−４を使用して、原稿ファイルを中間ファイルに変換する。このとき、発注アプリケーション１０２−２はまず、中間ファイル作成ドライバ１０２−４に対し、変換処理開始と変換処理完了イベント通知要求を指示する。続いて、原稿ファイルを操作可能なオフィスアプリケーション１０２−３をＯＬＥやシェルスクリプトを使用して起動し、原稿ファイルを中間ファイル作成ドライバ１０２−４へ印刷するよう指示する。中間ファイル作成ドライバ１０２−４は、オフィスアプリケーション１０２−３からの描画命令を中間コードに変換し、中間ファイルを作成し、中間ファイルの作成が完了すると、発注アプリケーション１０２−２へ中間ファイル名と共に作成完了を通知する。発注アプリケーション１０２−２は中間ファイルを取り込み、変換前の原稿ファイルと組にしてアップロード対象のファイルとして登録する（Ｓ５０９）。全てのファイルのチェックが完了すると、発注側Ｉ／Ｆ１０３−１を経由して、原稿ファイルと中間ファイルを電子入稿システムサーバへアップロードする（Ｓ５１０）。発注アプリケーションから注文を行う場合、印刷体裁、製本設定、納品先指定、部数などような指定を発注アプリケーション上で行う場合には、図３に示す印刷注文フォームのＵＩ画面例と同様の設定ＵＩを表示し、ユーザに入力させ、入力された注文情報データを前述したＸＭＬ形式で記述し、原稿ファイルなどと同時にアップロードすることにより実現可能である。または、Ｗｅｂブラウザ１０２−１において電子入稿システムサーバに接続し、図３に示す印刷注文フォームのＵＩ画面において印刷体裁、製本設定や納品先指定などを行い、その注文情報データをＸＭＬ形式のファイルとしてダウンロードし、注文情報テンプレートとして使用することも考えられる。もしくは、発注アプリケーション１０２−２からは、原稿ファイルと中間ファイルのアップロードだけを行い、アップロード後にＷｅｂブラウザ１０２−１を起動し、電子入稿システムサーバ１０３に接続し、印刷体裁などを入力する方法も考えられる。
【００３３】
図６は、サポートファイル情報入力画面を示す図である。前述したように、出力拠点でサポートされるファイル形式及びアプリケーションとそれらのバージョンについて入力する画面であり、注文管理アプリケーション１０５−２上のＵＩもしくは、Ｗｅｂブラウザ１０５−１より受注側Ｉ／Ｆ部１０３−３にアクセスすることにより表示される画面である。６０１では出力拠点でサポートするアプリケーションとそのバージョンを指定可能であり、６０２では出力拠点でサポートするファイル形式とそのバージョンを指定可能である。これらを指定後、６０３の「登録」ボタンを押下することにより、サポート情報を受信側Ｉ／Ｆ部１０３−３に送信する。受信側Ｉ／Ｆ部はサポート情報を受け取ると、サポート情報管理部１０３−４に保存し、発注クライアントより参照可能とする。
【実施例２】
【００３４】
電子入稿システム１０３に接続される出力拠点が複数存在し、それぞれでサポート可能なファイル形式などが異なる場合、出力拠点にＩＤ番号を割当て、サポート情報を登録する際に出力拠点ＩＤ、出力拠点名と共に受注側Ｉ／Ｆ部１０３−３に送信する。受注側Ｉ／Ｆ部１０３−３は、サポートファイル情報管理部１０３−４にサポート情報と出力拠点ＩＤ、出力拠点名を関連付けて登録する。発注アプリケーション１０２−２は、発注を行う際、出力拠点リストを発注側Ｉ／Ｆ部１０３−１に問合せ、出力拠点ＩＤと出力拠点名を取得する。そして、出力拠点名のリストをユーザに表示し、発注を行う出力拠点を選択させる。発注を行う出力拠点が選択されると、発注アプリケーション１０２−２は、発注側Ｉ／Ｆ部１０３−１に対して、出力拠点ＩＤを指定して、サポート情報を要求する。このようにすることにより、複数の出力拠点が存在する場合、発注を行おうとする出力拠点でのサポート情報を元に発注処理を行うことが可能となる。
【図面の簡単な説明】
【００３５】
【図１】本発明の実施の形態における電子入稿システムの構成を示すブロック図である。
【図２】本発明の実施の形態における電子入稿システムのモジュール構成を示すブロック図である。
【図３】本発明の実施の形態における電子入稿システムの印刷注文フォーム画面の例を示す図である。
【図４】本発明の実施の形態における電子入稿システムの注文管理アプリケーションのＵＩ画面の例を示す図である。
【図５】本発明の実施の形態における電子入稿システムの発注アプリケーションのファイル形式チェック及びファイル変換処理に関するフローチャート図である。
【図６】本発明の実施の形態における電子入稿システムで使用されるサポートファイル情報入力画面を示す図である
【図７】本発明の実施の形態における電子入稿システムで使用される注文情報データのフォーマット（ＸＭＬ  ＤＴＤ）を示す図である
【図８】本発明の実施の形態における電子入稿システムで使用される注文情報データの例（ＸＭＬのデータの一部）を示す図である（印刷注文時の注文情報データ及び、印刷体裁テンプレートデータの例）
【図９】本発明の実施の形態における電子入稿システムで使用される注文情報データの例（ＸＭＬのデータの一部）を示す図である（印刷注文時の注文情報データ及び、印刷体裁テンプレートデータの例）
【図１０】本発明の実施の形態における電子入稿システムで使用される注文情報データの例（ＸＭＬのデータの一部）を示す図である（印刷注文時の注文情報データ及び、印刷体裁テンプレートデータの例）
【図１】
2006244034.tif 000003
【図２】
2006244034.tif 000004
【図３】
2006244034.tif 000005
【図４】
2006244034.tif 000006
【図５】
2006244034.tif 000007
【図６】
2006244034.tif 000008
【図７】
2006244034.tif 000009
【図８】
2006244034.tif 000010
【図９】
2006244034.tif 000011
【図１０】
2006244034.tif 000012